(57)【要約】【課題】太陽電池を用いた充電時に適切なタイミングで携帯端末を起動させる。【解決手段】携帯端末１は、電池１４と、ソーラーパネル１８と、電源回路１６と、電源回路１６を用いた電池１４の充電中であって、かつ、携帯端末１の一部の機能の使用が制限された制限状態である場合、電池１４の電圧が電圧しきい値よりも高いときに、機能の制限を解除して携帯端末１を起動するように構成された少なくとも制御部６とを備える。制御部６は、ソーラーパネル１８を用いて電池１４を充電する場合には、外部の電源を用いて電池１４を充電する場合よりも高い値を電圧しきい値として設定するように構成される。【選択図】図１
2018074307.tif 000002
【特許請求の範囲】
【請求項１】
電池と、
ソーラーパネルと、
前記ソーラーパネルおよび携帯端末の外部の電源のうちのいずれか一方の電力を用いて前記電池を充電するように構成された電源回路と、
前記電源回路を用いた前記電池の充電中であって、かつ、前記携帯端末の一部の機能の使用が制限された制限状態である場合、前記電池の電圧が電圧しきい値よりも高いときに、前記機能の制限を解除して前記携帯端末を起動するように構成された少なくとも１つのプロセッサとを備え、
前記少なくとも１つのプロセッサは、前記ソーラーパネルを用いて前記電池を充電する場合には、前記外部の電源を用いて前記電池を充電する場合よりも高い値を前記電圧しきい値として設定するように構成される、携帯端末。
【請求項２】
前記少なくとも１つのプロセッサは、前記ソーラーパネルによる発電が不安定である場合には、前記ソーラーパネルによる発電が安定している場合よりも高い値を前記電圧しきい値として設定するように構成される、請求項１に記載の携帯端末。
【請求項３】
前記少なくとも１つのプロセッサは、前記ソーラーパネルから前記電池への充電電流の上限値と下限値との電流差が電流しきい値よりも小さい場合には、前記ソーラーパネルによる発電が安定していると判定し、前記電流差が前記電流しきい値よりも大きい場合には、前記ソーラーパネルによる発電が不安定であると判定するように構成される、請求項２に記載の携帯端末。
【請求項４】
前記携帯端末は、画面に情報を表示する表示装置と、無線通信装置とをさらに備え、
前記少なくとも１つのプロセッサは、前記制限状態であって、かつ、前記ソーラーパネルを用いて前記電池を充電する場合には、前記表示装置における前記画面の輝度の設定値と、前記無線通信装置における電界強度と、前記携帯端末の温度とのうちの少なくともいずれかに基づいて前記電圧しきい値を設定するように構成される、請求項１に記載の携帯端末。
【請求項５】
前記携帯端末は、表示装置と、操作装置とをさらに備え、
前記少なくとも１つのプロセッサは、前記制限状態であって、かつ、前記ソーラーパネルを用いて前記電池を充電する場合には、ユーザが要求する前記携帯端末の使用量に応じて前記電圧しきい値を設定するように構成される、請求項１に記載の携帯端末。
【請求項６】
電池と、ソーラーパネルと、前記ソーラーパネルおよび携帯端末の外部の電源のうちのいずれか一方の電力を用いて前記電池を充電するように構成された電源回路とを備える携帯端末の制御方法であって、
前記電源回路を用いた前記電池の充電中であって、かつ、前記携帯端末の一部の機能の使用が制限された制限状態である場合、前記電池の電圧が電圧しきい値よりも高いときに、前記機能の制限を解除して前記携帯端末を起動するステップと、
前記ソーラーパネルを用いて前記電池を充電する場合には、前記外部の電源を用いて前記電池を充電する場合よりも高い値を前記電圧しきい値として設定するステップとを含む、携帯端末の制御方法。
【発明の詳細な説明】
【技術分野】
【０００１】
本開示は、携帯端末の制御に関する。
【背景技術】
【０００２】
従来から、携帯可能な太陽電池を用いて携帯端末等の電気機器の電池を充電する技術が知られている。たとえば、特開２０１３−１６２６２７号公報（特許文献１）には、ポータブル太陽電池発電システムについて開示されている。
【０００３】
一方、携帯端末の電池の充電時において電池の電圧がしきい値を超えると携帯端末を起動させる技術が知られている。
【先行技術文献】
【特許文献】
【０００４】
【特許文献１】特開２０１３−１６２６２７号公報
【発明の概要】
【発明が解決しようとする課題】
【０００５】
しかしながら、太陽電池の発電量は、必ずしも一定ではないため、太陽電池を用いた充電時に適切なタイミングで携帯端末を起動させる必要がある。
【課題を解決するための手段】
【０００６】
一実施の形態の携帯端末は、電池と、ソーラーパネルと、ソーラーパネルおよび携帯端末の外部の電源のうちのいずれか一方の電力を用いて電池を充電するように構成された電源回路と、電源回路を用いた電池の充電中であって、かつ、携帯端末の一部の機能の使用が制限された制限状態である場合、電池の電圧が電圧しきい値よりも高いときに、機能の制限を解除して携帯端末を起動するように構成された少なくとも１つのプロセッサとを備える。少なくとも１つのプロセッサは、ソーラーパネルを用いて電池を充電する場合には、外部の電源を用いて電池を充電する場合よりも高い値を電圧しきい値として設定するように構成される。
【発明の効果】
【０００７】
一実施の形態の電気機器によれば、ソーラーパネルを用いて電池を充電する場合には、外部の電源を用いて電池を充電する場合よりも高い値を電圧しきい値として設定されるので、電池が十分に充電された状態で携帯端末を起動することができる。そのため、ソーラーパネルによる発電量が一定でない場合でも起動後の携帯端末の電源がすぐに落ちることを抑制することができる。
【図面の簡単な説明】
【０００８】
【図１】携帯端末の構成の一例を示すブロック図である。
【図２】制御部で実行される制御処理の一例を示すフローチャート（その１）である。
【図３】制御部で実行される制御処理の一例を示すフローチャート（その２）である。
【図４】１分通話の選択時の必要電力量の算出方法の一例を説明するための図である。
【図５】１０分通話の選択時の必要電力量の算出方法の一例を説明するための図である。
【図６】選択操作が行なわれなかった時の必要電力量の算出方法の一例を説明するための図である。
【図７】発電安定時の第２しきい値の設定方法の一例を説明するための図である。
【図８】発電不安定時の第２しきい値の設定方法の一例を説明するための図である。
【図９】制御部の動作の一例を説明するためのタイミングチャートである。
【図１０】図２のフローチャートに示される制御処理の変形例である。
【発明を実施するための形態】
【０００９】
以下、実施の形態について図面を用いて説明する。
図１は、携帯端末１の構成の一例を示すブロック図である。携帯端末１は、携帯電話、スマートフォン、タブレット端末などを含む。
【００１０】
携帯端末１は、以下にさらに詳細に述べられるように、種々の機能を実行するための制御および処理能力を提供するために少なくとも１つのプロセッサ８を含む。種々の実施の形態によれば、少なくとも１つのプロセッサ８は、単一の集積回路（ＩＣ）として、又は複数の通信可能に接続された集積回路ＩＣ及び／又はディスクリート回路として実行されてもよい。少なくとも１つのプロセッサ８は、種々の既知の技術に従って実行されることが可能である。
【００１１】
図１を参照して、この携帯端末１は、ディスプレイ２と、無線通信装置４と、制御部６と、タッチパネル１２と、電池１４と、電源回路１６と、ソーラーパネル１８と、温度センサ２０と、アンテナ２２とを備える。
【００１２】
ディスプレイ２は、画面を有し、各種情報を画面に表示するように構成することができる。ディスプレイ２は、たとえば、ＬＣＤ（Liquid  Crystal  Display）によって構成されてもよい。あるいは、ディスプレイ２は、たとえば、有機ＥＬ（Electro-Luminescence）ディスプレイ、または無機ＥＬディスプレイ等の他の種類のディスプレイによって構成されてもよい。
【００１３】
無線通信装置４は、アンテナ２２を通じて、たとえば、無線基地局又は通信機能を備える他の装置と通信することができる。無線通信装置４によってサポートされる通信方式は、各種無線通信規格を含む。無線通信規格としては、たとえば、２Ｇ、３Ｇ、４Ｇ、５Ｇ等のセルラーフォンの各種通信規格を含む。セルラーフォンの通信規格は、たとえば、ＬＴＥ（Long  Term  Evolution）、Ｗ−ＣＤＭＡ（Wideband  Code  Division  Multiple  Access）、ＣＤＭＡ２０００（Code  Division  Multiple  Access  2000）、ＰＤＣ（Personal  Digital  Cellular）、ＧＳＭ（登録商標）（Global  System  for  Mobile  Communications）、ＰＨＳ（Personal  Handy-phone  System）等を含む。無線通信規格として、さらに、たとえば、ＷｉＭＡＸ（Worldwide  Interoperability  for  Microwave  Access）、ＩＥＥＥ８０２．１１、Ｂｌｕｅｔｏｏｔｈ（登録商標）等を含む。無線通信装置４は、上述した通信規格のうちの１つまたは複数をサポートしていてもよい。
【００１４】
制御部６は、プロセッサ８と、メモリ１０とを含む。ある実施の形態において、プロセッサ８は、１以上のデータ計算手続又は処理を実行するために構成された１以上の回路又はユニットを含む。たとえば、プロセッサ８は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、又は他の既知のデバイスおよび構成の組み合わせを含み、以下に説明される機能を実行してもよい。
【００１５】
プロセッサ８は、携帯端末１の構成要素の全体を制御することができる。より具体的には、プロセッサ８は、電源オフ時においては、一部の機能を制限し、一部の機能のみを使用可能とする制限状態に移行し、電源オン時においては、機能の制限を解除して携帯端末１を起動することができる。プロセッサ８は、制限状態である場合は、電源回路１６を介してソーラーパネル１８を用いた充電と携帯端末１の外部の電源（以下、外部電源と記載する）５０を用いた充電とのうちのいずれかを行なうことができる。プロセッサ８は、たとえば、制限状態であって、かつ、充電中においては、電池１４の電圧（以下、電池電圧と記載する）がしきい値を超えると機能の制限を解除して携帯端末１を起動することができる。
【００１６】
また、プロセッサ８は、たとえば、起動中に、電池電圧がしきい値よりも低下すると携帯端末１を制限状態に移行させる。なお、制限状態に移行させる電池電圧のしきい値としては、制限状態から起動する電池電圧のしきい値以下の値を設定することができる。
【００１７】
プロセッサ８は、温度センサ２０等の各種センサ類からの信号を受信して、これらのセンサによる検出結果や検出結果に基づく演算結果をメモリ１０に記憶させることができる。
【００１８】
メモリ１０は、たとえば、ＲＯＭ（Read  Only  Memory）、ＲＡＭ（Random  Access  Memory）、および、外部メモリ等を含む。メモリ１０は、各種データおよび制御プログラムの他、各種アプリケーション等プログラムを記憶することができる。
【００１９】
制御部６は、プロセッサ８がメモリ１０に記憶されるプログラムを実行することによって各種機能を実現することができる。
【００２０】
タッチパネル１２は、ユーザからの入力を受付けることができる。タッチパネル１２は、たとえば、ディスプレイ２の表面に設けられるものとしてもよい。タッチパネル１２としては、たとえば、静電容量式、超音波式、感圧式、抵抗膜式、光検知式等、各種方式のタッチパネルを用いることができる。タッチパネル１２は、タッチパネル１２へのユーザによるタッチ操作（たとえば、タップ操作、フリック操作あるいはスライド操作等）を検出して、検出結果を制御部６に出力することができる。
【００２１】
電池１４は、ニッケル水素電池あるいはリチウムイオン電池等の二次電池によって構成することができる。電池１４としては、その他の種類の二次電池を用いてもよい。
【００２２】
電源回路１６は、たとえば、起動中においては、制御部６からの制御信号に応じて、電池１４の電力を携帯端末１の各構成要素へ供給することができる。さらに、電源回路１６は、たとえば、制限状態中においては、制御部６からの制御信号に応じて、ソーラーパネル１８を用いた電池１４の充電と、外部電源５０を用いた電池１４の充電とのうちのいずれかを行なうことができる。携帯端末１は、たとえば、ＵＳＢ端子等の外部端子を用いて外部電源５０と電源回路１６とを電気的に接続することができる。外部電源５０としては、たとえば、ＡＣアダプタを用いてもよいし、携帯端末１の外部のバッテリを用いてもよい。
【００２３】
電源回路１６は、たとえば、外部電源５０との接続を可能とする外部端子（図示せず）に外部電源５０が接続されている場合に、あるいは、外部端子に電力が供給される場合に、切替回路等を用いて、外部端子と電池１４とを電気的に接続しつつ、ソーラーパネル１８と電池１４とを電気的に遮断することができる。電源回路１６は、外部端子に外部電源５０が接続されていない場合に、あるいは、外部端子に電力が供給されていない場合に、外部端子と電池１４とを電気的に遮断しつつ、ソーラーパネル１８と電池１４とを電気的に接続することができる。
【００２４】
電源回路１６には、電池電圧を検出する電圧センサ１６ａおよび電池１４の電流を検出する電流センサ１６ｂが設けられてもよい。電圧センサ１６ａおよび電流センサ１６ｂは、検出結果を示す信号を制御部６に送信することができる。
【００２５】
ソーラーパネル１８は、太陽光や照明等の光を電力に変換することができる。ソーラーパネル１８は、たとえば、携帯端末１の外装に設けられるようにしてもよい。
【００２６】
温度センサ２０は、携帯端末１の内部の温度を検出することができる。温度センサ２０は、検出結果を示す信号を制御部６に送信することができる。
【００２７】
なお、図示はしないが、携帯端末１には、その他、ハードキー、音声を受付けるマイクロフォン、音を出力するスピーカ、カメラ、ＧＰＳ（Global  Positioning  System）等の各種機器が設けられてもよい。
【００２８】
以上のような構成を有する携帯端末１において、制御部６は、上述したとおり、制限状態であって、かつ、充電中において、電池電圧がしきい値を超えると携帯端末１を起動することができる。
【００２９】
しかしながら、ソーラーパネル１８を用いた充電中に同様のしきい値で携帯端末１を起動する場合には、その後すぐに電源オフされ、制限状態になる場合がある。
【００３０】
ソーラーパネル１８の発電量は、ソーラーパネル１８が受ける光量に依存するため、屋外で太陽光が雲で遮られたり、携帯端末１の位置の変化によってソーラーパネル１８において光源から受光する角度が変化するなどすると、発電が不安定になり、充電が停止する頻度が増加したり、あるいは、発電量が低下したりする場合がある。
【００３１】
そのため、ソーラーパネル１８を用いた充電によって電池電圧がしきい値を超えたとしても充電が停止したり、発電量が低下したりするなどして、電池電圧がしきい値を下回り、再度制限状態になる場合がある。
【００３２】
さらに、ソーラーパネル１８を用いた充電は、外部電源５０を用いた充電と比較して充電電力が小さいため、ソーラーパネル１８による充電電力が起動中の携帯端末１の消費電力よりも小さい場合には、やはり、電池電圧がしきい値を下回り、再度制限状態になる場合がある。このように、ソーラーパネル１８の発電量は、必ずしも一定ではないため、ソーラーパネル１８を用いた充電時には、適切なタイミングで携帯端末１を起動させる必要がある。
【００３３】
本実施の形態において、制御部６は、ソーラーパネル１８を用いて電池１４を充電する場合には、外部電源５０を用いて電池１４を充電する場合よりも高い値を、携帯端末１を起動する起動電圧として設定することができる。
【００３４】
以下、図２および図３を参照して、制御部６で実行される制御処理について説明する。図２および図３は、制御部６で実行される制御処理の一例を示すフローチャートである。
【００３５】
携帯端末１が電源オフの状態のときに起動を支持する操作を受け付けると図２のフローチャートに示される処理が開始される。図２を参照して、ステップ（以下、ステップをＳと記載する）１００にて、制御部６は、電池電圧が第１しきい値以上であるか否かを判定することができる。第１しきい値は、外部電源５０を用いて電池１４を充電する場合に制限状態の携帯端末１を起動する起動電圧である。制御部６は、電源回路１６に設けられる電圧センサから受信する検出結果に基づいて電池電圧が第１しきい値以上であるか否かを判定することができる。電池電圧が第１しきい値以上であると判定される場合（Ｓ１００にてＹＥＳ）、処理はＳ１０２に移される。
【００３６】
Ｓ１０２にて、制御部６は、充電に用いられる電源（以下、充電ソースと記載する）がソーラーパネル１８であるか否かを判定することができる。具体的には、制御部６は、電源回路１６においてソーラーパネル１８と電池１４とが電気的に接続されている場合や、あるいは、電源回路１６から電池１４に流れる電流がソーラーパネル１８から流れる電流に相当する所定の範囲内である場合に、充電ソースがソーラーパネル１８であると判定することができる。充電ソースがソーラーパネル１８であると判定される場合（Ｓ１０２にてＹＥＳ）、処理はＳ１０４に移される。
【００３７】
Ｓ１０４にて、制御部６は、発電状況に関する情報を取得することができる。発電状況に関する情報とは、たとえば、ソーラーパネル１８から電池１４に流れる電流（充電電流）、電圧、充電電力、充電が開始されてからの充電電力量（発電量）、ソーラーパネル１８を用いて充電が開始されてからの経過時間等を含む。制御部６は、取得された発電状況に関する情報をメモリ１０に記憶することができる。
【００３８】
Ｓ１１０にて、制御部６は、ディスプレイ２の輝度の設定値を取得することができる。たとえば、制御部６は、ユーザの操作やカメラ等を介して取得される携帯端末１の周辺の照度に応じてディスプレイ２の輝度の設定値を変更して、変更された設定値をメモリ１０に記憶することができる。制御部６は、記憶された値を読み出すことによってディスプレイ２の輝度の設定値を取得することができる。
【００３９】
Ｓ１１２にて、制御部６は、電界強度を取得することができる。制御部６は、たとえば、無線通信装置４のアンテナ２２における電波の受信レベルに基づいて電界強度を取得することができる。
【００４０】
Ｓ１１４にて、制御部６は、携帯端末１の温度を取得することができる。たとえば、制御部６は、温度センサ２０の検出結果に基づいて携帯端末１の温度を取得することができる。
【００４１】
Ｓ１１６にて、制御部６は、ディスプレイ２の画面に選択メニューを表示させることができる。選択メニューは、たとえば、複数の選択肢に対応する複数のボタン画像を所定の位置に配置することによって構成することができる。複数の選択肢は、たとえば、携帯端末１の使用量に関連する情報を含む。本実施の形態においては、制御部６は、たとえば、選択メニューとして、２つのボタン画像を表示し、２つのボタン画像の内側あるいは外側に、携帯端末１の使用時間（通話時間）を示す文字情報として「１分通話」および「１０分通話」をそれぞれ表示することができる。ユーザは、「１分通話」と「１０分通話」とのうちのユーザが要求する使用時間に対応するボタンに対して選択操作（たとえば、タッチ操作）を行なうことができる。制御部６は、選択操作によって選択されたボタン（たとえば、タップされたタッチパネル上の位置に表示されるボタン画像）から「１分通話」と「１０分通話」とのうちのいずれが選択されたかを特定することができる。制御部６は、選択メニューを予め定められた時間が経過するまで表示することができる。制御部６は、選択メニューを表示してから予め定められた時間が経過した後に表示を消すことができる。
【００４２】
図３を参照して、Ｓ１１８にて、制御部６は、選択操作が行なわれたか否かを判定することができる。制御部６は、たとえば、選択メニューとして表示された２つのボタン画像のうちのいずれかに対してタッチ操作が行なわれた場合に、選択操作が行なわれたと判定することができる。制御部６は、選択メニューの表示が消されるまでにタッチ操作が行なわれなかった場合には、選択操作が行なわれなかったと判定することができる。選択操作が行なわれたと判定される場合（Ｓ１１８にてＹＥＳ）、処理はＳ１２０に移される。
【００４３】
Ｓ１２０にて、制御部６は、携帯端末１の状態および選択された選択肢に基づいて起動後の携帯端末１において電池電圧が第１しきい値を下回らないようにするために必要となる電力量（以下、必要電力量と記載する）を算出することができる。携帯端末１の状態は、たとえば、上述した輝度の設定値と、電界強度と、温度とを含む。制御部６は、たとえば、選択された選択肢と、輝度の設定値と、電界強度と、温度とをパラメータとして図４および図５に示すマップを用いて必要電力量を算出することができる。
【００４４】
図４に示すマップは、「１分通話」が選択された場合のディスプレイ２の輝度の設定値と電界強度と温度とに応じた必要電力量Ｐ１（１）〜Ｐ１（１８）を示す。図５に示すマップは、「１０分通話」が選択された場合のディスプレイ２の輝度の設定値と電界強度と温度とに応じた必要電力量Ｐ２（１）〜Ｐ２（１８）を示す。図４および図５に示すマップは、実験的あるいは設計的に設定することができる。
【００４５】
図４および図５において、たとえば、「１０分通話」が選択される場合の必要電力量（たとえば、Ｐ２（１））は、その他のパラメータが同じであることを前提とすると、「１分通話」が選択される場合の必要電力量（たとえば、Ｐ１（１））よりも大きい。
【００４６】
また、輝度の設定値が「明るい」に区分される値である場合の必要電力量（たとえば、Ｐ１（１））は、輝度の設定値以外のパラメータが同じであることを前提とすると、輝度の設定値が「普通」に区分される値である場合の必要電力量（たとえば、Ｐ１（７））よりも大きい。同様に、輝度の設定値が「普通」に区分される値である場合の必要電力量（たとえば、Ｐ１（７））は、輝度の設定値以外のパラメータが同じであることを前提とすると、輝度の設定値が「暗い」に区分される値である場合の必要電力量（たとえば、Ｐ１（１３））よりも大きい。
【００４７】
さらに、電界強度が「弱い」に区分される値である場合の必要電力量（たとえば、Ｐ１（４））は、電界強度以外のパラメータが同じであることを前提とすると、電界強度が「強い」に区分される値である場合の必要電力量（たとえば、Ｐ１（１））よりも大きい。
【００４８】
さらに、温度が「３０℃以上」に区分される値である場合の必要電力量（たとえば、Ｐ１（３））は、温度以外のパラメータが同じであることを前提とすると、温度が「２０℃−３０℃」に区分される値である場合の必要電力量（たとえば、Ｐ１（２））よりも大きい。同様に、温度が「２０℃−３０℃」に区分される値である場合の必要電力量（たとえば、Ｐ１（２））は、温度以外のパラメータが同じであることを前提すると、温度が「２０℃以下」に区分される値である場合の必要電力量（たとえば、Ｐ１（１））よりも大きい。
【００４９】
制御部６は、取得された設定値が「明るい」に区分される範囲内であるか、「普通」に区分される範囲内であるか、あるいは、「暗い」に区分される範囲内であるかを判定することができる。輝度の設定値の「明るい」、「普通」および「暗い」は、たとえば、設定値のしきい値を２つ設けることによって区分することができる。なお、輝度の設定値は、３段階に区分されることに限定されるものではなく、たとえば。「明るい」および「暗い」の２段階に区分されてもよいし、４段階以上に区分されてもよい。
【００５０】
制御部６は、取得された電界強度が「強い」に区分される範囲内であるか、あるいは、「弱い」に区分される範囲内であるかを判定することができる。電界強度の「強い」および「弱い」は、たとえば、しきい値を１つ設けることによって区分することができる。なお、電界強度は、２段階に区分されることに限定されるものではなく、３段階以上に区分されてもよい。
【００５１】
制御部６は、取得された温度が「２０℃以下」であるか、「２０℃−３０℃」であるか、あるいは、「３０℃以上」であるかを判定することができる。なお、温度の区分としては、２０℃と３０℃とをしきい値として区分されることに限定されるものではなく、その他の温度をしきい値として区分されてもよい。また、温度は、３段階に区分されることに限定されるものではなく、２段階で区分されてもよいし、４段階以上で区分されてもよい。
【００５２】
たとえば、制御部６は、選択肢として「１分通話」が選択され、輝度の設定値が「明るい」に区分される値であって、電界強度が「弱い」に区分される値であって、かつ、温度が「２０℃以下」である場合には、図４の矢印Ｘによって特定される必要電力量Ｐ１（４）を今回の必要電力量として算出することができる。
【００５３】
あるいは、制御部６は、選択肢として「１０分通話」が選択され、輝度の設定値が「暗い」に区分される値であって、電界強度が「強い」に区分される値であって、かつ、温度が「３０℃以上」である場合には、図５の矢印Ｙによって特定される必要電力量Ｐ２（１５）を今回の必要電力量として算出することができる。
【００５４】
図３に戻って、Ｓ１２２にて、制御部６は、携帯端末１の状態および選択操作が行なわれなかったことに応じた必要電力量を算出することができる。制御部６は、たとえば、輝度の設定値と、電界強度と、温度とをパラメータとして図６に示すマップを用いて必要電力量を算出することができる。図６に示すマップは、選択操作が行なわれなかった場合における、輝度の設定値と、電界強度と、温度とに応じた必要電力量Ｐ３（１）〜Ｐ３（１８）を示す。図６に示すマップは、実験的あるいは設計的に設定することができる。
【００５５】
図６に示すマップにおいては、輝度の設定値に応じた必要電力量、電界強度に応じた必要電力量、温度に応じた必要電力量は、図４および図５と同様の観点で設定することができる。すなわち、図６に示すマップにおいて、輝度の設定値が、輝度が明るい値になるほど必要電力量が大きい値になるように設定することができる。また、マップにおいて、電界強度が弱いほど必要電力量が大きい値になるように設定することができる。さらに、マップにおいて、温度が高いほど必要電力量が大きい値になるように設定することができる。なお、選択操作がされなかった場合の必要電力量Ｐ３（１）〜Ｐ３（１８）は、通話が行なわれないことを前提として設定することができる。そのため、選択操作がされなかった場合の必要電力量（たとえば、Ｐ３（１））としては、その他のパラメータが同じである場合を前提すると、「１分通話」が選択された場合の必要電力量（たとえば、Ｐ１（１））や、「１０分通話」が選択される場合の必要電力量（たとえば、Ｐ２（１））よりも小さい値を設定することができる。
【００５６】
たとえば、制御部６は、選択操作が行なわれず、輝度の設定値が「普通」に区分される値であって、電界強度が「強い」に区分される値であって、かつ、温度が「２０℃−３０℃」である場合には、図６の矢印Ｚによって特定される必要電力量Ｐ３（８）を今回の必要電力量として算出することができる。
【００５７】
再び図３に戻って、Ｓ１２４にて、制御部６は、ソーラーパネル１８を用いた発電が安定しているか否かを判定する。制御部６は、直前の予め定められた期間における充電電流をメモリ１０に記憶し、記憶された値から最大値と最小値とを特定し、特定された最大値と最小値との電流差を算出することができる。制御部６は、算出された電流差が電流しきい値よりも大きいとソーラーパネル１８を用いた発電が不安定であると判定することができる。また、制御部６は、算出された電流差が電流しきい値以下であるとソーラーパネル１８を用いた発電が安定していると判定することができる。
【００５８】
ソーラーパネル１８を用いた発電が安定していると判定される場合（Ｓ１２４にてＹＥＳ）、処理はＳ１２６に移される。
【００５９】
Ｓ１２６にて、制御部６は、発電安定時における起動電圧を示す第２しきい値を設定することができる。具体的には、制御部６は、算出された必要電力量と発電安定時に対応した図７に示すマップとに基づいて第２しきい値を設定することができる。図７に示すマップは、必要電力量（たとえば、Ｐ４（１）、Ｐ４（２）、Ｐ４（３）、…）と第２しきい値（たとえば、Ｖ１（１）、Ｖ１（２）、Ｖ１（３）、…）との関係を示すマップであって、実験的あるいは設計的に適合されて予めメモリ１０に記憶される。
【００６０】
一方、ソーラーパネル１８を用いた発電が不安定であると判定される場合（Ｓ１２４にてＮＯ）、処理はＳ１２８に移される。
【００６１】
Ｓ１２８にて、制御部６は、発電不安定時における第２しきい値を設定することができる。具体的には、制御部６は、算出された必要電力量と発電不安定時に対応した図８に示すマップとに基づいて第２しきい値を設定することができる。図８に示すマップは、必要電力量（たとえば、Ｐ４（１）、Ｐ４（２）、Ｐ４（３）、…）と第２しきい値（たとえば、Ｖ２（１）、Ｖ２（２）、Ｖ２（３）、…）との関係を示すマップであって、実験的あるいは設計的に適合された予めメモリ１０等に記憶される。
【００６２】
なお、図７と図８とを比較した場合、必要電力量が同じ値であるとすると（たとえば、Ｐ４（１））、発電不安定時の値（たとえば、Ｖ２（１））の方が発電安定時の値（たとえば、Ｖ１（１））よりも高い値になるように第２しきい値を設定することができる。
【００６３】
Ｓ１３０にて、制御部６は、電池電圧が第２しきい値に到達しているか否かを判定することができる。電池電圧が第２しきい値に到達していると判定される場合（Ｓ１３０にてＹＥＳ）、処理はＳ１３２に移される。なお、電池電圧が第２しきい値に到達していないと判定される場合（Ｓ１３０にてＮＯ）、処理はＳ１３０に戻される。
【００６４】
Ｓ１３２にて、制御部６は、携帯端末１を起動する起動処理を実行することができる。起動処理の実行により一部の機能の使用が制限される制限状態が解除される。
【００６５】
以上のように説明した制御処理に基づくソーラーパネル１８を用いた充電時に携帯端末１の状態に基づいて携帯端末１の起動電圧である第２しきい値を設定する動作について図９を参照しつつ説明する。図９の縦軸は、ソーラーパネル１８による充電状態、携帯端末１の起動状態および電池電圧の変化を示す。図９の横軸は、時間を示す。図９においては、電池電圧Ｖ（１）によって第１しきい値が示される。
【００６６】
たとえば、ソーラーパネル１８を用いた充電が行なわれていない場合であって、電池電圧が第１しきい値Ｖ（１）よりも低い電池電圧Ｖ（３）であり、これにより、携帯端末１が制限状態となっている場合を想定する。
【００６７】
時間Ｔ（０）にて、ソーラーパネル１８において太陽光を受光するなどしてソーラーパネル１８を用いた充電が開始されると、電池電圧は、ソーラーパネル１８を用いた充電によって電圧Ｖ（３）から時間が経過していくとともに上昇していく。
【００６８】
時間Ｔ（１）にて、電池電圧が第１しきい値Ｖ（１）に到達すると（Ｓ１００にてＹＥＳ）、充電ソースがソーラーパネル１８であるため（Ｓ１０２にてＹＥＳ）、発電状況に関する情報が取得される（Ｓ１０４）。さらに、ディスプレイ２の輝度の設定値が取得され（Ｓ１１０）、電界強度が取得され（Ｓ１１２）、温度が取得される（Ｓ１１４）。そして、ディスプレイ２の画面に選択メニューが表示される（Ｓ１１６）。
【００６９】
選択メニューとして、「１分通話」と「１０分通話」に対応するボタン画像が表示され、ユーザのタッチ操作等により選択可能となる。このとき、ユーザがたとえば「１分通話」を選択する場合には（Ｓ１１８にてＹＥＳ）、図４に示すマップと、取得された輝度の設定値と、電界強度と、温度とに基づいて必要電力量が算出される（Ｓ１２０）。
【００７０】
一方、ユーザが「１０分通話」を選択する場合には（Ｓ１１８にてＹＥＳ）、図５に示すマップと、取得された輝度の設定値と、電界強度と、温度とに基づいて必要電力量が算出される（Ｓ１２０）。
【００７１】
なお、選択メニューの表示中にユーザが選択操作を行なわなかった場合には（Ｓ１１８にてＮＯ）、図６に示すマップと、取得された輝度の設定値と、電界強度と、温度とに基づいて必要電力量が算出される（Ｓ１２２）。
【００７２】
取得された発電状況に関する情報に基づいてソーラーパネル１８を用いた発電が安定していると判定される場合には（Ｓ１２４にてＹＥＳ）、算出された必要電力量と、図７に示すマップとに基づいて発電安定時の第２しきい値Ｖ（２）が設定される（Ｓ１２６）。
【００７３】
なお、たとえば、取得された発電状況に関する情報に基づいて発電が不安定であると判定される場合には（Ｓ１２４にてＮＯ）、算出された必要電力量と、図８に示すマップとに基づいて発電不安定時の第２しきい値が設定される（Ｓ１２８）。
【００７４】
時間Ｔ（２）にて、電池電圧が第２しきい値Ｖ（２）に到達する場合に（Ｓ１３０にてＹＥＳ）、起動処理が実行される（Ｓ１３２）。これにより、携帯端末１が起動する。
【００７５】
以上のようにして、本実施の形態に係る携帯端末１によると、プロセッサ８は、ソーラーパネル１８を用いて電池１４を充電する場合には、外部電源５０を用いて電池１４を充電する場合よりも高い値を第２しきい値Ｖ（２）として設定することができるため、電池１４が十分に充電された状態で携帯端末１を起動することができる。そのため、ソーラーパネルによる発電量が一定でない場合でも起動後に携帯端末の電源がすぐに落ちること（制限状態になること）を抑制することができる。
【００７６】
さらに、プロセッサ８は、ソーラーパネル１８による発電が不安定である場合には、ソーラーパネル１８による発電が安定している場合よりも高い値を第２しきい値として設定することができる。これにより、ソーラーパネル１８による発電が不安定である場合でも電池１４が十分に充電された状態で携帯端末１を起動することができる。
【００７７】
さらに、プロセッサ８は、ソーラーパネル１８から電池１４への充電電流の最大値を上限値とし、最小値を下限値として、その電流差が電流しきい値よりも小さい場合には、ソーラーパネル１８による発電が安定していると判定し、電流差が電流しきい値よりも大きい場合には、ソーラーパネル１８による発電が不安定であると判定することができる。これにより、発電が安定しているか不安定であるかを精度高く判定することができる。
【００７８】
さらに、プロセッサ８は、制限状態であって、かつ、ソーラーパネル１８を用いて電池１４を充電する場合には、ディスプレイ２における画面の輝度の設定値と、無線通信装置４における電界強度と、携帯端末１の温度とのうちの少なくともいずれかに基づいて第２しきい値を設定することができる。
【００７９】
このようにすると、携帯端末１の状態に応じて電池１４に対して適切な量の充電がされた状態で携帯端末１を起動することができる。そのため、ソーラーパネル１８による発電量が一定でない場合でも携帯端末１の電源がすぐに落ちることを抑制することができる。
【００８０】
さらに、プロセッサ８は、制限状態であって、かつ、ソーラーパネル１８を用いて電池１４を充電する場合には、ユーザが要求する携帯端末１の使用量に応じて第２しきい値を設定することができる。すなわち、ユーザが「１分通話」を選択するか、「１０分通話」を選択するかによってユーザが要求する携帯端末１の使用量を特定することができるため、ユーザが要求する使用量に応じて第２しきい値を設定することによって、電池１４に対してユーザが要求する使用量を満足する適切な量の充電がされた状態で携帯端末１を起動することができる。
【００８１】
以下、変形例について説明する。
上述の実施の形態では、輝度の設定値と、電界強度と、温度と、図４〜図６に示すマップのいずれかとに基づいて必要電力量を算出するものとして説明したが、必要電力量の算出方法としては、このような方法に限定されるものではない。たとえば、輝度の設定値の基準値（たとえば、「普通」に区分される設定値）と、電界強度の基準値（たとえば、「強い」に区分される値）と、温度の基準値（たとえば、２０℃）とに対応した基準電流値Ａを予め設定しておく。制御部６は、実際の輝度の設定値と基準値との差分に応じた第１補正量Ｂと、実際の電界強度と基準値との差に応じた第２補正量Ｃと、実際の温度と基準値との差分に応じた補正係数Ｄとを算出する。制御部６は、（基準電流値Ａ＋第１補正量Ｂ＋第２補正量Ｃ）×補正係数Ｄの式により、起動後の消費電流を予測し、予測された消費電流および想定される使用時間に基づいて必要電力量を予測してもよい。
【００８２】
上述の実施の形態では、輝度の設定値と、電界強度と、温度とに基づいて必要電力量を算出するものとして説明したが、輝度の設定値と、電界強度と、温度とのうちの少なくとも１つに基づいて必要電力量を算出するようにしてもよいし、少なくとも１つに加えてその他のパラメータ（たとえば、電池の残容量）を考慮して必要電力量を算出してもよい。
【００８３】
上述の実施の形態では、充電電流の最大値と最小値との電流差が電流しきい値よりも大きいか否かによってソーラーパネル１８を用いた発電が安定しているか否かを判定するものとして説明したが、発電が安定しているか否かの判定方法は、上述のような方法に特に限定されるものではない。たとえば、直前の予め定められた期間において充電が切れる（充電電流がゼロあるいはゼロ相当のしきい値以下となる）回数（頻度）が所定回数よりも多い場合に、発電が不安定であると判定し、充電が切れる回数が所定回数以下の場合に発電が安定していると判定してもよい。
【００８４】
上述の実施の形態では、温度センサ２０を用いて携帯端末１の温度を取得するものとして説明したが、その他の方法を用いて携帯端末１の温度を取得してもよい。たとえば、電池１４の温度を検出するセンサや外気温を検出するセンサ等を用いて携帯端末１の温度を推定してもよいし、あるいは、携帯端末１にＧＰＳが搭載されている場合には、ＧＰＳによって検出される位置情報をインターネット等の通信回線によって接続されるサーバーに送信し、サーバーから受信する位置情報周辺の温度情報に基づいて携帯端末１の温度を推定してもよい。
【００８５】
上述の実施の形態では、選択操作が行なわれなかった場合には、図６のマップに基づいて必要電力量を算出するものとして説明したが、たとえば、選択操作が行なわれなかった場合には、携帯端末１の過去の使用履歴から使用量を推定し、推定された使用量に基づいて図６のマップから得られる必要電力量を補正してもよい。
【００８６】
上述の実施の形態では、ソーラーパネル１８を用いた発電の安定時と不安定時とで異なるマップを用いて必要電力量から第２しきい値を設定するものとして説明したが、たとえば、発電の安定時の必要電力量と不安定時の必要電力量との差を一定値とし、発電の安定時および不安定時のうちのいずれか一方の必要電力量を予め定めておいてもよい。このようにすると、１つのマップによって発電の安定時の第２しきい値と発電の不安定時の第２しきい値との両方を設定することができる。
【００８７】
上述の実施の形態では、発電の安定時の必要電力量と不安定時の必要電力量との差は、選択操作の有無あるいは選択された選択肢に関わらず一定であるものとして説明したが、選択操作の有無あるいは選択された選択肢に応じて安定時の使用電力量と不安定時の使用電力量との差を変化させてもよい。
【００８８】
上述の実施の形態では、第２しきい値が１度設定されると電池電圧が第２しきい値に到達するまで第２しきい値を固定するものとしたが、電池電圧が第２しきい値に到達するまでの間にパラメータに応じて必要電力量を算出したり、発電の安定の有無に応じて第２しきい値を再度設定したりしてもよい。このようにすると、発電の安定の有無が変化した場合や、パラメータが変化した場合に、携帯端末１の状態の変化に応じて第２しきい値を適切に設定することができる。
【００８９】
上述の実施の形態では、選択メニューにおいて複数の通話時間を選択肢として表示させるものとして説明したが、選択メニューにおいて複数のデータ使用量やデータ通信時間を選択肢として表示させるようにしてもよい。
【００９０】
上述の実施の形態では、図２に示したように、電池電圧が第１しきい値以上である場合に（Ｓ１００にてＹＥＳ）、Ｓ１０２以降の処理が実行されるものとして説明したが、特にこのような処理を実行することに限定されるものではない。
【００９１】
たとえば、電池電圧が第１しきい値よりも低いときにＳ１０２の処理およびＳ１０４の処理を実行し、電池電圧が第１しきい値に到達した後にＳ１１０以降の処理を実行してもよい。
【００９２】
以下、上記した処理の詳細について図１０を用いて説明する。図１０は、図２のフローチャートに示される制御処理の変形例である。なお、図１０におけるＳ１０２，Ｓ１０４、Ｓ１１０，Ｓ１１２，Ｓ１１４，Ｓ１１６の処理内容は、図２におけるＳ１０２，Ｓ１０４、Ｓ１１０，Ｓ１１２，Ｓ１１４，Ｓ１１６の処理内容と同様であるため、その詳細な説明は繰り返さない。
【００９３】
図１０を参照して、Ｓ１０１にて、制御部６は、電池電圧が第１しきい値以上であるか否かを判定することができる。電池電圧が第１しきい値以上であると判定される場合（Ｓ１０１にてＹＥＳ）、この処理は終了される。一方、電池電圧が第１しきい値よりも小さいと判定される場合（Ｓ１０１にてＮＯ）、処理はＳ１０２に移される。
【００９４】
Ｓ１０２にて、充電ソースがソーラーパネル１８でないと判定される場合（Ｓ１０２にてＮＯ）、Ｓ１０６にて、制御部６は、電池電圧が第１しきい値に到達したか否かを判定することができる。電池電圧が第１しきい値に到達したと判定される場合（Ｓ１０６にてＹＥＳ）、処理はＳ１３２に移される。なお、電池電圧が第１しきい値に到達していないと判定される場合（Ｓ１０６にてＮＯ）、処理はＳ１０２に戻される。
【００９５】
Ｓ１０４にて、発電状況に関する情報が取得された後に、Ｓ１０８にて、制御部６は、電池電圧が第１しきい値に到達したか否かを判定することができる。電池電圧が第１しきい値に到達したと判定される場合（Ｓ１０８にてＹＥＳ）、処理はＳ１１０に移される。なお、電池電圧が第１しきい値に到達していないと判定される場合（Ｓ１０８にてＮＯ）、処理はＳ１０４に戻される。
【００９６】
このようにすると、充電ソースがソーラーパネル１８である場合、電池電圧が第１しきい値に到達する前から発電状況に関する情報の取得を開始することができるため、当該情報をより長期間取得することができる。そのため、発電が安定しているか否かを精度高く判定することができる。
【００９７】
なお、上記した変形例は、その全部または一部を適宜組み合わせて実施してもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１  携帯端末、２  ディスプレイ、４  無線通信装置、６  制御部、８  プロセッサ、１０  メモリ、１２  タッチパネル、１４  電池、１６  電源回路、１６ａ  電圧センサ、１６ｂ  電流センサ、１８  ソーラーパネル、２０  温度センサ、２２  アンテナ、５０  外部電源。
【図１】
2018074307.tif 000003
【図２】
2018074307.tif 000004
【図３】
2018074307.tif 000005
【図４】
2018074307.tif 000006
【図５】
2018074307.tif 000007
【図６】
2018074307.tif 000008
【図７】
2018074307.tif 000009
【図８】
2018074307.tif 000010
【図９】
2018074307.tif 000011
【図１０】
2018074307.tif 000012